【事件の表示】
　特願２０１５−１０８０６２号「遊技機」拒絶査定不服審判事件〔平成２８年１２月２８日出願公開、特開２０１６−２２０７７５号〕について、次のとおり審決する。
【結　論】
　本件審判の請求は、成り立たない。
【理　由】
第１　手続の経緯
　本願は、平成２７年５月２８日の出願であって、平成２８年４月１４日付けで拒絶の理由が通知され、同年６月１７日に意見書及び手続補正書が提出され、同年１０月２６日付けで最後の拒絶の理由が通知され、同年１２月８日に意見書及び手続補正書が提出され、平成２９年１月２６日付けで最後の拒絶の理由が通知され、同年３月３０日に意見書及び手続補正書が提出されたところ、同年８月１８日付けで、同年３月３０日にされた手続補正が却下されるとともに拒絶査定（以下「原査定」という。）がなされ、それに対して、同年１１月２９日に拒絶査定不服審判の請求がなされると同時に手続補正がなされたものである。
　
第２　平成２９年１１月２９日にされた手続補正についての補正の却下の決定
〔補正の却下の決定の結論〕
　平成２９年１１月２９日にされた手続補正（以下「本件補正」という。）を却下する。
　
〔理由〕
１　本件補正について（補正の内容）
（１）本件補正は、特許請求の範囲についてする補正を含むものであって、平成２８年１２月８日付け手続補正書によって補正された本件補正前の請求項１に、
「所定条件が成立したことを契機として、遊技者にとって有利な特別遊技状態に移行するか否かの判定を行う判定手段と、
　前記判定手段が前記判定を行う前に前記判定の結果を事前判定する事前判定手段と、
　前記判定手段が行った前記判定の結果を画像表示部において報知する判定結果報知手段と、
　前記判定手段による前記判定が保留されている旨を前記画像表示部に示す保留画像を、前記事前判定手段による前記事前判定の結果に基づいて、通常態様とは異なる複数の特殊態様に変化させる保留表示手段と、
を備え、
　前記保留表示手段は、前記保留画像の表示態様の変化の前に、前記複数の特殊態様の内の一の特殊態様から他の特殊態様に変化させることを示唆するように前記保留画像がその場で動くように表示させ
る
ことを特徴とする遊技機。」とあったものを、
　
「所定条件が成立したことを契機として、遊技者にとって有利な特別遊技状態に移行するか否かの判定を行う判定手段と、
　前記判定手段が前記判定を行う前に前記判定の結果を事前判定する事前判定手段と、
　前記判定手段が行った前記判定の結果を画像表示部において報知する判定結果報知手段と、
　前記判定手段による前記判定が保留されている旨を前記画像表示部に示す保留画像を、前記事前判定手段による前記事前判定の結果に基づいて、通常態様とは異なる複数の特殊態様に変化させる保留表示手段と、
を備え、
　前記保留表示手段は、前記保留画像の表示態様の変化の前に、前記複数の特殊態様の内の一の特殊態様から他の特殊態様に変化させることを示唆するように前記保留画像がその場で動くように表示させ
る構成において、前記保留画像が表示される領域に応じて予め定められた大きさで動くように表示させ、前記保留画像の動きを前記予め定められた大きさ以上に表示させる場合に前記他の特殊態様に変化させる場合がある
ことを特徴とする遊技機。」とする補正を含むものである。
　なお、下線は、補正前後の該当箇所を明示するために合議体が付した。
　
（２）本件補正後の請求項１に係る上記（１）の補正は、次の補正事項からなる。
　本件補正前の請求項１に係る発明を特定するために必要な事項である「保留表示手段」が、「前記保留画像の表示態様の変化の前に、前記複数の特殊態様の内の一の特殊態様から他の特殊態様に変化させることを示唆するように前記保留画像がその場で動くように表示させる」ものから、「前記保留画像の表示態様の変化の前に、前記複数の特殊態様の内の一の特殊態様から他の特殊態様に変化させることを示唆するように前記保留画像がその場で動くように表示させる構成において、前記保留画像が表示される領域に応じて予め定められた大きさで動くように表示させ、前記保留画像の動きを前記予め定められた大きさ以上に表示させる場合に前記他の特殊態様に変化させる場合がある」とする補正。
　
２　本件補正の目的
（１）上記１（２）の補正は、願書に最初に添付された特許請求の範囲、明細書又は図面の【０２３９】、【０２４３】、図３８等の記載に基づいて、本件補正前の請求項１において記載されていた「保留表示手段」が、「複数の特殊態様の内の一の特殊態様から他の特殊態様に変化させることを示唆するように」、「保留画像」が「その場で動くように表示させる」のに加え、「前記保留画像が表示される領域に応じて予め定められた大きさで動くように表示させ、前記保留画像の動きを前記予め定められた大きさ以上に表示させる場合に前記他の特殊態様に変化させる場合がある」ことに限定するものである。
　
（２）以上のとおり、本件補正後の請求項１に係る上記１（２）の補正は、新規事項を追加するものではないから、特許法第１７条の２第３項に規定する要件を満たす。また、本件補正後の請求項１に係る上記１（２）の補正は、本件補正前の請求項１に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
　
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）について以下検討する。
　
（１）本願補正発明
　本願補正発明を再掲すると、次のとおりのものである。なお、記号ＡないしＥは、分説するため合議体が付した。
　
「Ａ　所定条件が成立したことを契機として、遊技者にとって有利な特別遊技状態に移行するか否かの判定を行う判定手段と、
　Ｂ　前記判定手段が前記判定を行う前に前記判定の結果を事前判定する事前判定手段と、
　Ｃ　前記判定手段が行った前記判定の結果を画像表示部において報知する判定結果報知手段と、
　Ｄ　前記判定手段による前記判定が保留されている旨を前記画像表示部に示す保留画像を、前記事前判定手段による前記事前判定の結果に基づいて、通常態様とは異なる複数の特殊態様に変化させる保留表示手段と、
を備え、
　Ｄ−１　前記保留表示手段は、前記保留画像の表示態様の変化の前に、前記複数の特殊態様の内の一の特殊態様から他の特殊態様に変化させることを示唆するように前記保留画像がその場で動くように表示させる構成において、前記保留画像が表示される領域に応じて予め定められた大きさで動くように表示させ、前記保留画像の動きを前記予め定められた大きさ以上に表示させる場合に前記他の特殊態様に変化させる場合がある
　Ｅ　ことを特徴とする遊技機。」
（２）引用例
　原査定の拒絶の理由で引用文献１として引用され、本願出願前に頒布された又は電気通信回線を通じて公衆に利用可能となった特開２０１３−２０８２７９号公報（平成２５年１０月１０日出願公開、以下「引用例１」という。）には、次の事項が図とともに記載されている（下線は引用発明等の認定に関連する箇所を明示するために合議体が付した。以下同様。）。
　ア　「【０００９】
［第１の実施の形態］
　以下、図面を用いて、本発明の第１の実施の形態に係る遊技台（例えば、パチンコ機等の弾球遊技機やスロットマシン等の回胴遊技機）について説明する。まず、図１を用いて、本実施の形態による
パチンコ機１００
　・・・略・・・
【００３３】
　可変入賞口２３４、２３５は、大入賞口またはアタッカと呼ばれ、本実施の形態では可変入賞口２３４が遊技盤２００の中央部下方に１つだけ配設され、可変入賞口２３５が右側経路上に１つだけ配設されている。可変入賞口２３４、２３５は、開閉自在な扉部材をそれぞれ備え、扉部材の閉鎖中は球の入球が不可能である。特図変動遊技に当選して特図表示装置が大当り図柄を停止表示した場合には、例えば可変入賞口２３４、２３５のうち一方の扉部材が所定の時間間隔（例えば、開放時間２９秒、閉鎖時間１．５秒）、所定の回数（例えば１５回）で開閉する。可変入賞口２３４、２３５への入球を所定の球検出センサが検出した場合、払出装置１５２を駆動し、所定の個数（例えば、１５個）の球を賞球として上皿１２６に排出する。なお、可変入賞口２３４、２３５に入球した球は、パチンコ機１００の裏側に誘導した後、遊技島側に排出する。
　・・・略・・・
【００８３】
  
特図１始動口２３０へ入賞があった場合
特図１当選乱数値を取得
特図１乱数値を取得して特図１乱数値記憶領域に取得順に格納する
　・・・略・・・
【０１１１】
　これらの特図関連抽選処理についても、主制御部３００が特図２関連抽選処理を特図１関連抽選処理よりも先に行うことで、特図２変動遊技の開始条件と、特図１変動遊技の開始条件が同時に成立した場合でも、特図２変動遊技が先に変動中となるため、特図１変動遊技は変動を開始しない。また、特図２変動遊技の保留数が１以上の場合には、特図１変動遊技の保留に関する抽選処理や変動遊技は行われない。また、
装飾図柄表示装置２０８による、特図変動遊技の当否判定の結果の報知は、第１副制御部４００によって行われ
【０１１２】
　ステップＳ２２９の特図２関連抽選処理の場合には、
主制御部３００は、特図２乱数値記憶領域内
から特図２始動情報（特図２当選乱数値および特図２乱数値の組）を取得し
大当りとするか、
あるいははずれとするかの決定
当否判定
を行う
【０１１３】
  主制御部３００は、特図２乱数値記憶領域から最先の特図２始動情報を取り出した後、当該最先の特図２始動情報を特図２乱数値記憶領域から消去するとともに、特図２保留数記憶領域の特図２保留数を１減算する。このとき、特図２乱数値記憶領域から取り出した特図２始動情報をＲＡＭ３０８に設けた一時領域に記憶し、この一時領域に記憶している特図２始動情報に基づいて上述の決定を行うようにしてもよい。
【０１１４】
  以上のような特図２関連抽選処理（ステップＳ２２９）の後に、特図１関連抽選処理（ステップＳ２３１）が同様にして行われる。
　・・・略・・・
【０１２６】
　図８は、主制御部タイマ割込処理の特図先読み処理（ステップＳ２２４）の流れの一例を示すフローチャートである。
特図先読み処理では、主制御部３００は
特図１
において増加した始動情報を先読みして、当否判定処理よりも前に停止図柄を事前判定
　・・・略・・・
【０２０１】
　次に、図１９〜図２７を用いて、
第２副制御部５００
　・・・略・・・
【０２０９】
　図２０は、第２副制御部メイン処理のステップＳ８０９における演出制御処理の流れの一例を示すフローチャートである。演出制御処理のステップＳ１１０１では保留アイコン表示制御処理を行い、その次のステップＳ１１０３では変動アイコン表示制御処理を行う。保留アイコン表示制御処理および変動アイコン表示制御処理の詳細については後述する。なお、保留アイコン表示制御処理および変動アイコン表示制御処理は、特図１および特図２で独立して実行されるようにしてもよいし、特図１および特図２で共通して実行されるようにしてもよい。ステップＳ１１０３の次のステップＳ１１０５では、その他の演出制御処理を行う。
【０２１０】
　図２１は、保留アイコン表示制御処理の流れの一例を示すフローチャートである。まず、保留アイコン表示制御処理のステップＳ１２０１では、第１副制御部４００から送信される先読み結果情報コマンド等の各種コマンドに基づき、特図変動遊技の保留数が増加したか否かを判定する。保留数が増加したと判定した場合にはステップＳ１２０３に進み、保留数が増加していないと判定した場合にはステップＳ１２０９に進む。
【０２１１】
　ステップＳ１２０３では、保留アイコン変更シナリオ抽選処理を行う。保留アイコン変更シナリオ抽選処理では、後述する保留アイコン表示態様抽選用テーブル（図２３〜図２６）を参照して、特図変動遊技の保留数、増加した保留に対応するタイマグループ、および保留アイコン表示態様抽選用乱数値に基づき、増加した保留についての保留アイコン変更シナリオを抽選で決定する。保留アイコン変更シナリオは、当該保留が消化されるまでの保留アイコンの表示態様の変化を表す情報であり、例えば「入賞時：白、１変動後：白、２変動後：青」と表される。本例の
保留アイコンの表示態様には、「白」、「青」、「赤」、「箱」、「千両箱」がある
増加した保留
先読みが実行されていない場合
には、当該保留が消化されるまでの保留アイコンの表示態様をデフォルトの「白」に設定する
【０２１２】
　ステップＳ１２０３の次のステップＳ１２０５では、決定した保留アイコン変更シナリオをＲＡＭ５０８に設けられたシナリオ記憶領域に記憶する。ここで、ＲＡＭ５０８内のシナリオ記憶領域は、特図１および特図２のそれぞれについての保留可能数と同数（本例では、特図１および特図２のそれぞれについて４つずつ）の記憶領域を有している。各記憶領域は、特図１および特図２のそれぞれの保留順序（保留１〜保留４）に対応付けられている。例えば、特図１の最先の保留が消化されて特図１変動遊技が開始されると、特図１の保留１に対応する記憶領域内のデータ（保留アイコン変更シナリオ）が消去され、保留２〜保留４に対応する記憶領域内のデータは、保留１〜保留３に対応する記憶領域にそれぞれ繰り上がって記憶し直されるようになっている。
【０２１３】
　ステップＳ１２０５の次のステップＳ１２０７では、増加した保留に対応する
保留アイコンを装飾図柄表示装置２０８の所定の表示領域に表示する
【０２１４】
　ステップＳ１２０９では、保留アイコン変更条件が成立したか否かを判定する。保留アイコン変更条件は、例えば、特図変動遊技が開始されたことである。本例では、図柄変動開始コマンド等の特図変動遊技の開始を示すコマンドを第１副制御部４００から受信したタイミングであれば保留アイコン変更条件が成立したと判定し、それ以外であれば保留アイコン変更条件が成立していないと判定する。保留アイコン変更条件が成立したと判定した場合にはステップＳ１２１１に進み、保留アイコン変更条件が成立していないと判定した場合にはステップＳ１２１３に進む。保留アイコン変更条件はその他にも、所定の変動時間が経過したこと、該保留アイコンよりも前の変動における当否判定において特定の当否判定結果が導出されること、または遊技者による所定の操作がなされたこと、等であっても良い。また、保留アイコン変更条件は、対象となる保留の変動が行われるまでに必ず成立するものであっても良いし、その逆に成立しないものであっても良い。また、該条件を決定する契機においては成立可否が分からない（不定）ものであっても良い。また、一度決定された保留アイコン変更条件がその後で変更または中止されても良い。
【０２１５】
　ステップＳ１２１１では、保留アイコン変更処理を行う。保留アイコン変更処理では、ＲＡＭ５０８内のシナリオ記憶領域のそれぞれの記憶領域から保留アイコン変更シナリオを読み出し、
各保留アイコン変更シナリオに基づいて各保留アイコンの表示態様の変更が必要か否かを判定し、変更が必要であれば保留アイコンの表示態様を変更する処理
を行う
【０２１６】
　ステップＳ１２１３では、特図変動遊技の保留数が減少したか否かを判定する。例えば、第１副制御部４００からの図柄変動開始コマンドや先読み結果情報コマンド等に基づき、保留数が減少したと判定した場合にはステップＳ１２１５に進み、保留数が減少していないと判定した場合には保留アイコン表示制御処理を終了して演出制御処理に復帰する。
【０２１７】
　ステップＳ１２１５では、保留アイコン表示位置変更処理を行う。保留アイコン表示位置変更処理では、保留数の減少に応じて、各保留アイコンの表示位置を変更する処理（例えば、保留アイコンの移動アニメーションや消去アニメーション、保留・変動アイコン間の移動アニメーション等を設定する処理を含む）を行う。その後、保留アイコン表示制御処理を終了して演出制御処理に復帰する。
　・・・略・・・
【０２３３】
  図２３〜図２６に示す保留アイコン表示態様抽選テーブルでは、増加した保留の変動タイマが属する
タイマグループと、保留アイコン表示態様抽選用乱数値とに基づいて、
保留アイコン変更シナリオが決定される
タイマグループは、第１副制御部４００からの先読み結果情報コマンド等に基づいて判定され
　・・・略・・・
【０２３６】
　本例の保留アイコンの表示態様は、
球系の保留アイコン表示グループでは信頼度（大当り信頼度）の高い方から「赤」、「青」、「白」となっており、箱系の保留アイコン表示グループでは信頼度の高い方から「千両箱」、「箱」となっている
　イ　「【０４２５】
［第２の実施の形態］
　次に、本発明の第２の実施の形態に係る遊技台について説明する。本実施の形態によるパチンコ機１００の構成等については、第１の実施の形態によるパチンコ機１００と同様であるため説明を省略する。以下、本実施の形態によるパチンコ機１００において実行される演出の具体例について説明する。
　・・・略・・・
【０５５１】
（実施例２−１０）
　図６３および図６４は、本実施の形態の実施例２−１０における演出表示の例を時系列で示している。図６３（ａ）は、ある特図１変動遊技の変動期間中の状態を示している。特図１表示装置２１２では、特図１の変動表示が行われている。特図１保留ランプ２１８は特図１の保留が１であることを表示しており、特図２保留ランプ２２０は特図２の保留が０であることを表示している。
【０５５２】
　図柄表示領域２０８ａ〜２０８ｃでは、装飾図柄の変動表示が行われている。変動アイコン表示領域８００には、当該変動に対応する変動アイコン８０１（表示態様：白）が表示され、所定の待機アニメーションが実行されている。保留アイコン表示領域９００の第１領域には、保留アイコン９０１（表示態様：白）が表示され、所定の待機アニメーションが実行されている。
【０５５３】
　図６３（ｂ）は、当該特図１変動遊技の変動期間中に特図１の保留が１つ増加した状態を示している。特図１保留ランプ２１８は、特図１の保留が１から２に増加したことを表示している。
保留アイコン表示領域９００の第２領域には、増加した保留の当否を高信頼度で先読み予告する保留アイコン９０２（表示態様：赤）が表示
【０５５４】
　図６３（ｃ）は、当該特図１変動遊技が終了するとともに、特図１の保留が２つ増加した状態を示している。特図１表示装置２１２には特図Ｅ（はずれ）が停止表示され、図柄表示領域２０８ａ〜２０８ｃには、当りを報知する図柄組合せ以外の図柄組合せ「装飾１−装飾１０（０）−装飾４」が停止表示される。特図１保留ランプ２１８は、特図１の保留が４に増加したことを表示する。保留アイコン表示領域９００の第３領域には保留アイコン９０３（表示態様：村人Ｂ）が所定の増加アニメーションを伴って表示され、第４領域には保留アイコン９０４（表示態様：村人Ａ）が所定の増加アニメーションを伴って表示される。保留アイコン９０３、９０４では、一定の周期で左右をキョロキョロする待機アニメーションが実行される。保留アイコン９０１、９０３、９０４の待機アニメーションは非同期で実行される。
【０５５５】
　図６３（ｄ）、（ｅ）は、
次の特図１変動遊技が開始
【０５５６】
　図柄表示領域２０８ａ〜２０８ｃでは、装飾図柄の変動表示が開始される。変動アイコン表示領域８００および保留アイコン表示領域９００では、変動アイコンの消去アニメーション、保留アイコンの消去アニメーション、保留アイコンの移動アニメーションが実行される。特別な先読み予告演出の実行中には、保留・変動アイコン間の移動アニメーションが省略され、消化された保留に対応する保留アイコンは、変動アイコンに変化せずに消去される場合がある。すなわち、特別な先読み予告演出が開始された後に開始される変動では、保留アイコンに注目を集めるために、変動アイコンの表示が省略される場合がある。この場合、２つの消去アニメーション（変動アイコンの消去アニメーションと保留アイコンの消去アニメーション）が同時期に実行される場合がある。
【０５５７】
　変動アイコンの消去アニメーションでは、変動アイコン表示領域８００の変動アイコン８０１が所定の態様で消去される。特別な先読み予告演出実行中における変動アイコンの消去アニメーションは、通常の態様とは異なる特別な態様で実行されてもよい。
【０５５８】
　保留アイコンの消去アニメーションでは、保留アイコン表示領域９００の第１領域に表示されている保留アイコン９０１（表示態様：村人Ａ）の表示サイズが徐々に縮小され、最終的には消去される。特別な先読み予告演出中における保留アイコンの消去アニメーションは、通常の態様とは異なる特別な態様で実行されてもよい。
【０５５９】
　保留アイコンの移動アニメーションでは、保留アイコン表示領域９００の第２〜第４領域に表示されていた保留アイコン９０２〜９０４が、第１〜第３領域にそれぞれ移動する。特別な先読み予告演出中の移動アニメーションは、通常の態様とは異なる特別な態様で実行されてもよい。
【０５６０】
　図６３（ｆ）〜図６４（ｃ）は、
当該特図１変動遊技の変動期間中
保留アイコン９０２に割れ目が生じ、ガタガタと振動する
【０５６１】
　図６３（ｇ）に示す時点では、保留アイコン９０２の変化アニメーションにおいて、
保留アイコン９０２が割れて中から千両箱が出現する
保留アイコン９０２の表示態様が「千両箱」に変更される
【０５６２】
　図６３（ｈ）に示す時点で、当該特図１変動遊技が終了する。特図１表示装置２１２には特図Ｅ（はずれ）が停止表示され、図柄表示領域２０８ａ〜２０８ｃには、当りを報知する図柄組合せ以外の図柄組合せ「装飾７−装飾１−装飾１０（０）」が停止表示される。保留アイコン表示領域９００の保留アイコン９０３、９０４では、村人が万歳をして喜ぶ態様の待機アニメーションが引き続き行われている。」
　ウ　「【図６３】
」
　エ　【０１１４】の「特図２関連抽選処理（ステップＳ２２９）の後に、特図１関連抽選処理（ステップＳ２３１）が同様にして行われる。」との記載からみて、【０１１２】（上記イ）の「主制御部３００は、特図２乱数値記憶領域内の最先の（最も過去に記憶された）保留位置から特図２始動情報（特図２当選乱数値および特図２乱数値の組）を取得し、取得した特図２始動情報内の特図２当選乱数値およびＲＡＭ３０８内の特図確率変動フラグの値などに基づいて、ＲＯＭ３０６に記憶された当否判定用テーブル（後述する図１０（ａ）〜（ｄ）参照）を用いて大当りとするか、・・・あるいははずれとするかの決定（当否判定）を行う。」の記載中の「特図２」は「特図１」と読み替えることができる。
　また、【０２０１】ないし【０２３６】の記載より、第２副制御部５００が保留アイコンの表示態様に関する処理を行っているから、実施例２−１０（【０５５１】ないし【０５６２】）においても同様に、第２副制御部５００が保留アイコンの表示態様に関する処理を行っていることは明らかである。
　さらに、引用例１の実施例２−１０は、【０４２５】の記載の記載に基づけば、第１の実施の形態で説明されている事項を援用しているといえる。
　オ　上記アないしエからみて、引用例１には、実施例２−１０として、次の発明が記載されている。なお、ａないしｅについては本願補正発明のＡないしＥに対応させて付与し、引用箇所の段落番号を併記した。
「ａ　特図１始動口２３０へ入賞があった場合、特図１当選乱数値及び特図１乱数値を取得して特図１乱数値記憶領域に取得順に格納し、該特図１乱数値記憶領域内から特図１始動情報（特図１当選乱数値および特図１乱数値の組）を取得し、大当りとするか、あるいははずれとするかの決定（当否判定）を行うとともに（【００８３】、【０１１２】、上記エ）、
　ｂ　特図１において増加した始動情報を先読みして、当否判定処理よりも前に停止図柄を事前判定する（【０１２６】）、
　主制御部３００（【０１１２】）と、
　ｃ　装飾図柄表示装置２０８による特図変動遊技の当否判定の結果の報知を行う第１副制御部４００（【０１１１】）と、
　ｄ　保留アイコンの表示態様には、「白」、「青」、「赤」、「箱」、「千両箱」があり、増加した保留に対応する先読みが実行されていない場合には、当該保留が消化されるまでの保留アイコンの表示態様をデフォルトの「白」に設定するものであり、球系の保留アイコン表示グループでは信頼度（大当り信頼度）の高い方から「赤」、「青」、「白」となっており、箱系の保留アイコン表示グループでは信頼度の高い方から「千両箱」、「箱」となっており、これらの保留アイコンを装飾図柄表示装置２０８の所定の表示領域に表示し、第１副制御部４００からの先読み結果情報コマンド等に基づいて判定されたタイマグループと、保留アイコン表示態様抽選用乱数値とに基づいて決定された保留アイコン変更シナリオに基づいて各保留アイコンの表示態様の変更が必要か否かを判定し、変更が必要であれば保留アイコンの表示態様を変更する処理を行う、第２副制御部５００（【０２０１】、【０２１１】、【０２１３】、【０２１５】、【０２３３】、【０２３６】）と、
　を備え、
　ｄ−１　前記第２副制御部は、保留アイコン表示領域９００の第２領域に、増加した保留の当否を高信頼度で先読み予告する保留アイコン９０２（表示態様：赤）を表示し、次の特図１変動遊技の変動期間中に、保留アイコン９０２に割れ目を生じさせ、ガタガタと振動させ、保留アイコン９０２が割れて中から千両箱を出現させ、保留アイコン９０２の表示態様を「千両箱」に変更する（【０５５３】、【０５５５】、【０５６０】、【０５６１】、図６３）、
　ｅ　パチンコ機１００（【０００９】）。」（以下「引用発明」という。）
（３）対比
　ア　本願補正発明と引用発明とを対比する。なお、以下の見出し（ａ）ないし（ｅ）は、本願補正発明のＡないしＥに対応させている。
（ａ）引用発明は、「特図１始動口２３０へ入賞があった場合」という所定条件を契機として、「大当りとするか、あるいははずれとするかの決定（当否判定）を行う」ものであり、「大当り」の結果、遊技者にとって有利な遊技状態に移行することは技術常識からみて明らかである。
　そうすると、引用発明の「ａ　特図１始動口２３０へ入賞があった場合、特図１当選乱数値及び特図１乱数値を取得して特図１乱数値記憶領域に取得順に格納し、該特図１乱数値記憶領域内から特図１始動情報（特図１当選乱数値および特図１乱数値の組）を取得し、大当りとするか、あるいははずれとするかの決定（当否判定）を行う」「主制御部３００」は、本願補正発明の「Ａ　所定条件が成立したことを契機として、遊技者にとって有利な特別遊技状態に移行するか否かの判定を行う判定手段」に相当する構成を備える。
（ｂ）引用発明の主制御部３００は、特図１において増加した始動情報を先読みして、当否判定処理よりも前に停止図柄を事前判定するものであるから、引用発明の「ｂ　特図１において増加した始動情報を先読みして、当否判定処理よりも前に停止図柄を事前判定する」「主制御部３００」は、本願補正発明の「Ｂ　前記判定手段が前記判定を行う前に前記判定の結果を事前判定する事前判定手段」に相当する構成を備える。
（ｃ）引用発明の「装飾図柄表示装置２０８」は、本願補正発明の「画像表示部」に相当する。そして、引用発明の「第１副制御部４００」は、装飾図柄表示装置２０８（画像表示部）による特図変動遊技の当否判定の結果の報知を行うものであるから、本願補正発明の「Ｃ　前記判定手段が行った前記判定の結果を画像表示部において報知する判定結果報知手段」に相当する構成を備える。
（ｄ）引用発明の「保留アイコン」は、本願補正発明の「保留画像」に相当する。また、引用発明の「第２副制御部５００」は、装飾図柄表示装置２０８（画像表示部）に表示された保留アイコン（保留画像）の表示態様を変更する処理を行うものであり、保留アイコン（保留画像）の表示態様には、「白」、「青」、「赤」、「箱」、「千両箱」がある。
　そして、「白」は、デフォルトの表示態様として扱われるとともに、「青」、「赤」に比べて、当否判定に基づく大当り信頼度が低いものである。そうすると、「白」を基準、すなわち通常とすれば、その他は特殊ということができるから、引用発明の「白」が本願補正発明の「通常態様」に相当し、引用発明の「青」、「赤」、「箱」及び「千両箱」が本願補正発明の「特殊態様」に相当するといえるものである。
　そして、引用発明は、先読み結果等により決定された保留アイコン変更シナリオに基づいて、保留アイコン（保留画像）の表示態様を変更するものである。
　そうしてみると、引用発明の特定事項ｄは、本願補正発明の「Ｄ　前記判定手段による前記判定が保留されている旨を前記画像表示部に示す保留画像を、前記事前判定手段による前記事前判定の結果に基づいて、通常態様とは異なる複数の特殊態様に変化させる保留表示手段」に相当する構成を備える。
（ｄ−１）引用発明の「第２副制御部」（保留表示手段）は、保留アイコン９０２を「赤」（一の特殊態様）で表示し、次の特図１変動遊技の変動期間中に、保留アイコン９０２に割れ目を生じさせ、ガタガタと振動させ、保留アイコン９０２が割れて中から千両箱を出現させ、保留アイコン９０２の表示態様を「千両箱」（他の特殊態様）に変更するものである。
　「ガタガタと振動」させた後に、「赤」（一の特殊態様）から「千両箱」（他の特殊態様）に変化するのであるから、引用発明の「ガタガタと振動させ」ることは、本願補正発明の「前記保留画像の表示態様の変化の前に、複数の特殊態様の内の一の特殊態様から他の特殊態様に変化させることを示唆するように前記保留画像がその場で動くように表示させる」ことに相当する。
　また、引用発明の「振動」は、保留アイコン表示領域９００の第２領域で表示されるものであり、保留アイコン９０２が表示される特定の領域である前記第２領域に応じて表示されるものであるといえる。その「振動」の振幅は、表示される毎に異なるものであることの明示が引用例１にはないから、毎回予め定められた同じ大きさであることは明らかである。そうすると、引用発明の特定事項ｄ−１は、本願補正発明の「前記保留画像が表示される領域に応じて予め定められた大きさで動くように表示させ」ることに相当する構成を備える。
　このように、引用発明は、「振動」の振幅が、予め定められた大きさである場合に、「千両箱」（他の特殊態様）に変化させるものであり、前記「定められた大きさ」は「定められた大きさ
以上
　してみると、引用発明の特定事項ｄ−１は、本願補正発明の「Ｄ−１　前記保留表示手段は、前記保留画像の表示態様の変化の前に、前記複数の特殊態様の内の一の特殊態様から他の特殊態様に変化させることを示唆するように前記保留画像がその場で動くように表示させる構成において、前記保留画像が表示される領域に応じて予め定められた大きさで動くように表示させ、前記保留画像の動きを前記予め定められた大きさ以上に表示させる場合に前記他の特殊態様に変化させる場合がある」に相当する構成を備える。
（ｅ）引用発明の「パチンコ機１００」は、本願補正発明の「遊技機」に相当する。
　イ　上記アからみて、本願補正発明と引用発明とは、
「Ａ　所定条件が成立したことを契機として、遊技者にとって有利な特別遊技状態に移行するか否かの判定を行う判定手段と、
　Ｂ　前記判定手段が前記判定を行う前に前記判定の結果を事前判定する事前判定手段と、
　Ｃ　前記判定手段が行った前記判定の結果を画像表示部において報知する判定結果報知手段と、
　Ｄ　前記判定手段による前記判定が保留されている旨を前記画像表示部に示す保留画像を、前記事前判定手段による前記事前判定の結果に基づいて、通常態様とは異なる複数の特殊態様に変化させる保留表示手段と、
を備え、
　Ｄ−１　前記保留表示手段は、前記保留画像の表示態様の変化の前に、前記複数の特殊態様の内の一の特殊態様から他の特殊態様に変化させることを示唆するように前記保留画像がその場で動くように表示させる構成において、前記保留画像が表示される領域に応じて予め定められた大きさで動くように表示させ、前記保留画像の動きを前記予め定められた大きさ以上に表示させる場合に前記他の特殊態様に変化させる場合がある
　Ｅ　遊技機。」である点で一致し、相違するところはない。
　
　したがって、本願補正発明は、引用発明と同一であり、引用例１に記載された発明である。
　ウ　審判請求人の主張について
　（ア）審判請求人は、審判請求書において、以下のとおり、概略主張している。
「３．本願発明が特許されるべき理由
　・・・略・・・
（４）特許法第２９条第１項第３号及び特許法第２９条第２項違反について
（イ）引用文献１に関して、審査官殿は、「引用文献１に記載された保留アイコン９０２（表示態様：赤）は、請求項１の「一の特殊態様」に相当し、千両箱は、請求項１の「他の特殊態様」に相当する。また、保留アイコン９０２がガタガタと振動している状態における当該振動の大きさは、上記予め定められた大きさに相当する。」と判断している。
　・・・略・・・
（ロ）引用文献１の[０５６０]、[０５６１]には以下の事項が記載されている。 
　・・・略・・・
　このように、引用文献１には、「保留アイコン９０２に割れ目が生じ、ガタガタと振動する。保留アイコン９０２が割れて中から千両箱が出現する。」ことが記載されているにすぎない。
　それゆえ、引用文献１には、本願発明の特徴点の一部である、「前記保留表示手段は、前記保留画像の表示態様の変化の前に、前記複数の特殊態様の内の一の特殊態様から他の特殊態様に変化させることを示唆するように前記保留画像がその場で動くように表示させる構成において、前記保留画像が表示される領域に応じて予め定められた大きさで動くように表示させ、前記保留画像の動きを前記予め定められた大きさ以上に表示させる場合に前記他の特殊態様に変化させる場合がある」については記載も示唆もされていない。」
　（イ）上記ア（ｄ−１）で示したとおり、本願補正発明の特徴点の一部である特定事項Ｄ−１は、引用例１に記載されているといえるから、審判請求人の主張を採用することはできない。
　
（４）独立特許要件のむすび
　以上のとおりであるから、本願補正発明は、引用例１に記載された発明である。
　仮に、本願補正発明が引用発明に対して相違点を見出すことができるとしても、本願補正発明は、当業者が引用例１に記載された発明に基づいて容易に想到することができたものである。
　よって、本願補正発明は、特許法第２９条第１項第３号に該当するか、又は、同法同条第２項の規定により、特許出願の際独立して特許を受けることができないものである。
　
４　小括
　以上のとおり、本願補正発明は、特許出願の際独立して特許を受けることができないものであるから、本件補正は、特許法第１７条の２第６項において準用する同法第１２６条第７項の規定に違反するものである。
　したがって、本件補正は、同法第１２６条第７項の規定に違反するので、同法第１５９条第１項において読み替えて準用する同法第５３条第１項の規定により却下すべきものである。
　
第３　本願発明について
１　本願発明
　本件補正は上記第２のとおり却下されたので、本願の請求項１に係る発明（以下「本願発明」という。）は、平成２８年１２月８日付けで補正された特許請求の範囲の請求項１に記載された事項によって特定されるものであり、上記第２〔理由〕１（１）に本件補正前の請求項１として記載したとおりのものである。
　
２　原査定の拒絶の理由
　原査定の拒絶の理由は、この出願の平成２８年１２月８日にされた手続補正により補正された請求項１に係る発明は、その出願前に日本国内又は外国において頒布され又は電気通信回線を通じて公衆に利用可能となった下記引用文献１に記載された発明であるから、特許法第２９条第１項第３号に該当し、特許を受けることができない、または、この出願の平成２８年１２月８日にされた手続補正により補正された請求項１に係る発明は、その出願前に日本国内又は外国において頒布され又は電気通信回線を通じて公衆に利用可能となった下記引用文献１に記載された発明に基いて、その出願前にその発明の属する技術の分野における通常の知識を有する者が容易に発明をすることができたものであるから、特許法第２９条第２項の規定により特許を受けることができない、というものである。
　引用文献１．特開２０１３−２０８２７９号公報
３　引用例
（１）引用例１（引用文献１）の記載事項は、上記第２〔理由〕３（２）に記載したとおりである。
　
４　対比・判断
　本願補正発明は、上記「第２〔理由〕１（２）」のとおり、本願発明を特定するために必要な事項を限定したものである。
　そうすると、本願発明の構成要件をすべて含み、さらに限定を付加したものに相当する本願補正発明が、上記「第２〔理由〕３」に記載したとおり、引用例１に記載された発明といえるのであるから、本願発明も同様の理由により、引用例１に記載された発明であるといえる。
　仮に、本願発明が引用発明に対して相違点を見出すことができるとしても、本願発明は、当業者が引用例１に記載された発明に基づいて容易に想到することができたものである。
５　むすび
　以上のとおり、本願発明は、引用例１に記載された発明であるから、特許法第２９条第１項第３号に該当し、特許を受けることができない。
　また、本願発明は、当業者が引用例１に記載された発明に基づいて容易に発明をすることができたものであるから、同法同条第２項の規定により特許を受けることができない。
　よって、結論のとおり審決する。